(57)【要約】【課題】  摘みやすく掴みやすいとともに転がりづらく弾力性のない、幅広いユーザー層にとって安全で安心して利用することができるとともに障害者のリハビリテーションにも有効利用ができる多面体ボールを提供する。【解決手段】  本体（１）は、複数の凸多角形からなるクッション体（２）の頂点（２ａ）同士を接続するとともに、接続された該クッション体（２）の間に形成された通り抜け面（３）とで多面体ボールとして構成した。【選択図】図１
0003178332.tif 000002
【実用新案登録請求の範囲】
【請求項１】
本体は、複数の凸多角形からなるクッション体の頂点同士を接続するとともに、接続された該クッション体の間に形成された通り抜け面とで多面体のボールとして構成したことを特徴とする多面体ボール。
【請求項２】
本体は、６つの正方形のクッション体の頂点同士を接続するとともに、接続された６つの該クッション体の間に形成された８つの正三角形の通り抜け面とで立方８面体の多面体のボールとして構成したことを特徴とする多面体ボール。
【請求項３】
複数の該クッション体の頂点同士を接続して形成された本体の内部は空洞であることを特徴とする請求項１または請求項２に記載の多面体ボール。
【請求項４】
該クッション体は、布製の表皮と内部に充填された樹脂製の粒体とから座布団状に形成され、該粒体は、袋体に充填された上で表皮内に収容したことを特徴とする請求項１乃至請求項３の何れかに記載の多面体ボール。
【請求項５】
該クッション体は、シリコンなどのエラストマー素材のシートで座布団状に形成され、内部に空気層を備えたことを特徴とする請求項１乃至請求項３の何れかに記載の多面体ボール。
【考案の詳細な説明】
【技術分野】
【０００１】  本考案は、複数の凸多角形の頂点同士を接続して多面体を形成したボールに関し、特に、遊具、練習用ボール、リハビリ用具として他用途に利用することのできる多面体ボールに関する。
【背景技術】
【０００２】  従来のボールは、一般的にゴム弾性体などからなる表皮に空気を充填し弾むように形成されている。これらのボールは、テニスなどの球技用だけではなく、遊具やリハビリテーション用具としてなど幅広い分野で利用されている。ところが、このような従来の一般的なボールは、当然ながらよく弾みよく転がるため球技は別として、遊具として屋外広場でボール遊びをするような場合、うっかり変な方向に打ったり蹴ったりしてあらぬ方向に転がってしまう。また力んで打ったり蹴ったりすると弾性体とはいえ人体に当たると危険である。また、室内など狭い空間においては、弾みすぎて人体や家具類に当たる危険があるために使用することは適切ではない。さらに、リハビリテーション用具としては、空気充填量を減らせば若干掴みやすくなるが、それでも手指の機能障害がある状態ではこのようなボールの使用は適切ではない。【０００３】  そこで、これら課題を解決するための技術が提案されている。例えば、実用新案登録第３１６２９３２号公報（特許文献１）に開示された布ボールは、多数の布片を相互に縫合して略凸多面体状の被覆体を形成し、該被覆体内に布団綿を充填して布ボールを構成したもので、柔らかで安全であるのでゴムボールを使用する前段階の乳幼児に適したものである。また、被覆体は凸多面体形状であるので床面上で転がりすぎることがない。さらに段落番号００２８に記載されるように被覆体の頂点は、乳幼児においても摘みやすいものであるのでリハビリテーション用具としても有効である。【０００４】  また、特開平２００９−１１８９５１号公報（特許文献２）に開示されたボール状訓練用具は、正三角形８枚の布と正方形６枚の布を縫い合せて構成した立方８面体のカバー体と、前記カバー体の内部に充填される軽量充填物（布団綿）からなるもので、前記正三角形２枚の布と前記正方形２枚の布とを縫合した角部を手で摘むことができる摘みしろが形成されるように設定され、指先で摘む筋力や握る筋力を鍛えて、幼児から高齢者、健常者の他、病弱者などと広範囲の人々にとって安全で安心して利用できる。障害者のリハビリにも有効である。充填物を５０ｇとすれば軽いためドアや窓に当たっても危険性はなく、顔に強く当たっても衝撃が少ない。
【先行技術文献】
【特許文献】
【０００５】
【特許文献１】  実用新案登録第３１６２９３２号公報
【特許文献２】  特開平２００９−１１８９５１号公報
【考案の概要】
【考案が解決しようとする課題】
【０００６】  ところで、前記した特許文献１に開示された布ボール及び特許文献２に開示されたボール状訓練用具は、何れも正三角形８枚の布と正方形６枚の布を縫い合せて構成した立方８面体のカバー体の内部に布団綿を適宜充填して形成したことで、角部を摘みやすいこと、転がりづらいこと、弾力性が少ないといった効果を謳っているが、その効果は、充填する布団綿の量によって大きく左右され、布団綿が多すぎるとカバー体が立方８面体から球体に近づいてしまうため、逆に角部を摘みづらく、転がりやすく、弾力性が高まるといった効果を逆に得てしまうといった課題があった。【０００７】  そこで、本考案は上記した課題を考慮し、角部を摘みやすいこと、全体を掴みやすいこと、転がりづらいこと、弾力性を極力なくしたことを実現し、幅広いユーザー層にとって安全で安心して利用することができるとともに障害者のリハビリテーションにも有効利用ができる多面体ボールを提供することを目的とするものである。
【課題を解決するための手段】
【０００８】  かかる課題を解決するために、本考案の請求項１によれば、本体は、複数の凸多角形からなるクッション体の頂点同士を接続するとともに、接続された該クッション体の間に形成された通り抜け面とで多面体ボールとして構成したことで解決される。【０００９】  また、本考案の請求項２によれば、本体は、６つの正方形のクッション体の頂点同士を接続するとともに、接続された６つの該クッション体の間に形成された８つの正三角形の通り抜け面とで立方８面体の多面体ボールとして構成したことで解決される。【００１０】  さらに、本考案の請求項３によれば、複数の該クッション体の頂点同士を接続して形成された本体の内部は空洞であることで解決される。【００１１】  さらに、本考案の請求項４によれば、該クッション体は、布製の表皮と内部に充填された樹脂製の粒体とから座布団状に形成され、該粒体は、袋体に充填された上で表皮内に収容したことで解決される。【００１２】  さらに、本考案の請求項５によれば、該クッション体は、シリコンなどのエラストマー素材のシートで座布団状に形成され、内部に空気層を備えたことで解決される。
【考案の効果】
【００１３】  本考案の請求項１乃至請求項４によれば、本体をクッション体と該クッション体の間に形成された通り抜け面とで多面体ボールとして構成したので、本体を指先で摘みやすいこと、手で掴みやすいこと、転がりづらいこと、弾みづらいこと（高い衝撃吸収性能）といった効果を呈することに成功し、幅広いユーザー層や用途において安全かつ安心して使用することを実現した。【００１４】  本考案の請求項５によれば、該クッション体は、シリコンなどのエラストマー素材のシートで座布団状に形成し内部に空気層を備えたので、より触感が柔らかく、かつ滑りづらくなり、娯楽、テニス練習用、リハビリテーション用具として、使用者への負担を軽減するとともに安全かつ安心して使用することを実現したものである。
【図面の簡単な説明】
【００１５】
【図１】多面体ボールの説明図である。
【図２】多面体ボールの平面図である。
【図３】クッション体の断面図である。（第１実施例）
【図４】クッション体の断面図である。（第２実施例）
【考案を実施するための形態】
【実施例１】
【００１６】  以下、本考案の多面体ボールの第１の実施例について、図面を参照して詳細に説明する。図１は、多面体ボールの説明図、図２は、多面体ボールの平面図である。多面体ボールの本体（１）は、６つの凸多角形である正方形のクッション体（２）を頂点（２ａ）同士で接続してボール状に形成する。そして本体（１）の６つの正方形のクッション体（２）の間には８つの正三角形の通り抜け面（３）が形成され、内部が空洞の立方８面体のボールとして構成される。【００１７】  図３は、クッション体（２）の断面図である。クッション体（２）は、布製の表皮（２ｂ）と内部に充填された樹脂製の粒体（５）とから正方形の座布団状に構成される。粒体（５）は、本体（１）の使用過程で表皮（２ｂ）が破れてもこぼれ出ることがないためと、触感を向上させるために予めスポンジ状の袋体（４）に充填された上で表皮（２ｂ）内に収容される。また、樹脂製の粒体（５）は、ビーズ状のポリプロピレン材が充填されるが、その材質や粒サイズは特に限定されるものではなくクッションの充填材としてよく用いられるポリスチレン材のビーズや、リハビリテーション用としてある程度重量が必要な場合は、鉄などの金属粒を用いても良い。さらに、樹脂製の粒体（５）は、予めスポンジ状の袋体（４）に充填したが、該袋体（４）に充填せず表皮（２ｂ）に直接充填しても良い。【００１８】  また、正方形のクッション体（２）には角である頂点（２ａ）が４カ所あり、６つのクッション体（２）のそれぞれの頂点（２ａ）同士を縫製により接続することにより、一つの立体として形成される。そしてクッション体（２）の辺によって正三角形の通り抜け面（３）が８つほど形成され、立方８面体形状を呈することになる。【００１９】  このように形成された本体（１）は、内部が空洞であることと通り抜け面（３）を備えることによって様々な効果を得ることに成功した。【００２０】  第１の効果は、本体（１）を指先で摘みやすいことである。隣接する通り抜け面（３）のそれぞれに親指と人差し指を差し入れることによって極めて容易に本体（１）を摘むことができる。【００２１】  第二の効果は、本体（１）の全体を掴みやすいことである。本体（１）全体を握ったとき通り抜け面（３）にいくつかの指が掛かりやすいことによって極めて容易に本体（１）を掴むことができる。【００２２】  第３の効果は、本体（１）が転がりづらいことである。本体（１）は、立方８面体で完全な球体ではないため転がりづらく落としたり緩い傾斜のある面に置いたりしても転がらずにその位置に留まる。【００２３】  第４の効果は、本体（１）が高い衝撃吸収性能を有することである。本体（１）は、その内部が空洞であること、クッション体（２）自体に弾性がないこと、通り抜け面（３）によって本体（１）全体が潰れやすくなっていることと相まって叩きつけるなど敢えて弾ませようとしたとしてもほとんど弾むことがない。【００２４】  以上説明した効果を発揮することができる使用例をシチュエーションに応じて以下に列記する。【００２５】  屋外、あるいは体育館のような広い屋内で娯楽として使用する例として、バレーボールのように数人で輪になって打ち合って遊ぶ場合がある。本体（１���は第４の効果で説明したようにほとんど弾まないため、しっかりと打ち上げたり蹴り上げたりする必要がある。バレーボールであれば飛んできたボールに対して打つタイミングをうまく合わせることで容易に弾んで相手に飛んでいくが、このようには行かないので、ある程度腕力や脚力が必要であり、楽しさと同時に筋力の向上を狙うことができる。また、第３の効果で説明したように転がりづらいため、打つ際にミスをしたとしてもあらぬ方向に転がって行ってしまうことはない。【００２６】  部屋のような狭い空間で娯楽として使用する例としては、家族同士で投げ合ったり打ち合ったりして遊ぶ場合がある。前記同様に本体（１）は、第３、第４の効果で説明したようにほとんど転がらず弾まないため、ミスをして取り損なったり打ち損じたりしても、通常のボールのように弾みすぎて不用意に窓や家具に当たることがなく安心して安全に遊ぶことができる。また、第１、第２の効果で説明したように、本体（１）は、摘みやすく掴みやすいので、狭い空間内で確実に投げてキャッチすることができる。【００２７】  テニスなど球技の練習用として使用する例としては、テニスラケットのガット面を上に向けてボールを上方に繰り返し軽く弾ませる練習方法がある。この場合、通常のテニスボールであればよく弾むのでガット面の端でも打ち上げることができるが、本体（１）は、第４の効果で説明したように弾まないため、ガット面の端で打とうとしても打ち上げることが困難で練習にならない。ところが本体（１）を確実にスイートスポットでミートさせた場合は、ガット面自体の弾性によって弾むことがよくわかる。これによってテニスの練習であれば、如何にスイートスポットにボールを当てることが重要であるかが明確にわかり狭い室内でも安心して安全に練習することができる。また、第３の効果で説明したように転がらないため、ミスして本体（１）を落下させたとしても直下に落ちてその場所に留まるので取りに走ったりするような手間がない。【００２８】  幼児用のボールとして使用する例としては、特許文献１及び２の記載とも同じであるが、柔らかで安全であるのでゴムボールを使用する前段階の乳幼児に大変適している。また、第１、第２の効果で説明したように、本体（１）は、摘みやすく掴みやすいので、乳幼児には好適である。さらに第３の効果で説明したようにほとんど転がらないため、落としたとしても幼児の足元に留まり転がり去ることがないので長い間遊ぶことができる。【００２９】  リハビリテーション用具として使用する例としては、特許文献１及び２の記載とも同じであるが、病気や怪我で手指に障害がある場合など、第１、第２の効果で説明したように、本体（１）は、摘みやすく掴みやすいので、指先で摘むという動作や手で握るといった動作の機能回復を行う上で極めて有効に利用することができる。また、第３、第４の効果で説明したようにほとんど転がらず弾まないため、リハビリテーションの際に本体（１）を落下させたとしても転がり去ることがなく、拾い上げるという動作自体も機能回復の一環として大いに有効である。【００３０】  以上の使用例は、ほんの一例に過ぎず、幅広いユーザー層や用途において有効利用ができる多面体ボールを提供することを実現したものである。なお、本実施例において、クッション体（２）を正方形、通り抜け部（３）を正三角形で形成したが、この逆、すなわちクッション体（２）を正三角形、通り抜け部（３）を正方形として形成しても何ら差し支えなく、立方８面体以外の多面体でも良いことは言うまでもない。
【実施例２】
【００３１】  以下、本考案の多面体ボールの第２の実施例について、図面を参照して詳細に説明する。図４は、第２実施例におけるクッション体（２）の断面図である。第２の実施例においては、クッション体（２）の表皮（２ｂ）をシリコンなどのエラストマー素材から形成したことを特徴としている。【００３２】  図４に示されるように、クッション体（２）は、シリコン製の軟質シートで上側の表皮（２ｂ）と下側の表皮（２ｂ）を周囲に形成された接合部（２ｃ）を溶着させるとともに内部に空気層（６）を備えて正方形の座布団状に構成される。【００３３】  このように構成されたクッション体（２）は、実施例１と同様に、６つの正方形のクッション体（２）を頂点（２ａ）同士で接続してボール状に形成し、本体（１）の６つの正方形のクッション体（２）の間には８つの正三角形の通り抜け面（３）が形成され、内部が空洞の立方８面体のボールとして構成される。【００３４】  このように、正方形のクッション体（２）には角である頂点（２ａ）が４カ所あり、６つのクッション体（２）のそれぞれの頂点（２ａ）同士を縫製あるいは溶着などの接続手段によって接続することにより、一つの立体として形成される。そしてクッション体（２）の辺によって正三角形の通り抜け面（３）が８つほど形成され、立方８面体形状を呈することになる。【００３５】  これにより、実施例１で説明した第１から第４の効果と同時に、クッション体（２）の表皮（２ｂ）をシリコンなどのエラストマー素材から形成し、内部に空気層（６）を備えたので、より触感が柔らかくなり、娯楽、テニス練習用、リハビリテーション用具として、使用者への負担を軽減するとともに安全に使用することを実現したものである。また、シリコン素材は、摩擦力が高い素材であるので指で摘んだり手で掴んだりした際に滑りづらく使い勝手をより向上させることができた。
【符号の説明】
【００３６】  １        本体
２        クッション体
２ａ      頂点
２ｂ      表皮
２ｃ      接合部
３        通り抜け面
４        袋体
５        粒体
６        空気層
【図１】
0003178332.tif 000003
【図２】
0003178332.tif 000004
【図３】
0003178332.tif 000005
【図４】
0003178332.tif 000006